【事件の表示】
　特願２００４−１２８３４号「可搬型医療機器、携帯通信装置、医療機器情報出力システム」拒絶査定不服審判事件〔平成１７年８月４日出願公開、特開２００５−２０４７７８号〕について、次のとおり審決する。
【結　論】
　本件審判の請求は、成り立たない。
【理　由】
１．手続の経緯
　本願は、平成１６年１月２１日の出願であって、平成２２年８月１８日付けで拒絶査定がなされ、これに対し、平成２２年１１月２４日に拒絶査定不服審判が請求されたものである。
　本願については、上記の審判請求と同日付けで特許請求の範囲を補正する手続補正がなされたが、当審は、平成２４年２月１日付けでその手続補正を決定をもって却下するとともに拒絶理由の通知を行った。これに対し、同年４月６日付けで、意見書が提出されるとともに特許請求の範囲を補正する手続補正がなされた。
　
２．本願発明
　本願の請求項１に係る発明（以下、同項記載の発明を、「本願発明」という。）は、平成２４年４月６日付けの手続補正書により補正された特許請求の範囲の請求項１に記載された事項により特定される、以下のとおりのものである。
「酸素より窒素を選択的に吸着し得る吸着剤を充填した吸着筒、当該吸着筒へ加圧空気を供給して空気中の窒素を吸着させる空気圧縮手段、吸着されなかった酸素が取り出されて酸素富化気体として貯留される製品タンク、当該製品タンクに貯留された酸素富化気体を患者の鼻腔付近まで輸送するチューブ手段、当該酸素濃縮装置中の各構成要素へ電力を供給する電力供給手段、当該酸素濃縮装置の運転状態を示し、且つ、当該酸素濃縮装置が故障により運転停止した際のこの故障を特定するための記述を有する情報を、所定の時間間隔でメモリー手段に記録する制御手段、をそれぞれ備えた酸素濃縮装置と、前記メモリー手段に記録された前記情報を読み出して所定の受信手段へ送信する機能を有する送信端末とを備えた在宅酸素療法支援システム。」
　
３．引用例に記載された発明
　当審の拒絶の理由において引用された特開平９−１０３４９０号公報（以下、「引用例１」という。）には、図面と共に次の事項が記載されている。
　
（イ）「【請求項１７】　酸素濃縮器の作動を表示するデータを作り出し、記憶するための該酸素濃縮器内の手段と、該酸素濃縮器に接続するための携帯型データ記憶ディスプレー表示ユニットと、該酸素濃縮器及び該酸素濃縮器からの作動データを記憶するためのメモリー手段からの作動データを選択的に表示するための手段を含む該記憶ディスプレー表示ユニットと、該酸素濃縮器から離れた場所にあり該携帯型データ記憶ディスプレー表示ユニットに接続するポートを備えているマイクロコンピューターと、酸素濃縮器のデータを該携帯型データ記憶ディスプレー表示ユニットから該マイクロコンピューターへダウンロードするための手段とから成る、酸素濃縮器のためのモニタリングシステム。」（【特許請求の範囲】）
　
（ロ）「【技術的背景】酸素濃縮器は、例えば医療用に高純度酸素の供給源として使用されている。酸素濃縮器は主として酸素から成るガス流を作るため、空気から窒素を分離する。圧力揺動酸素濃縮器は通例少なくとも２個の分子篩ベッドを持っている。各分子篩ベッドはゼオライトのような篩材で部分的に満たされた閉ざされた円筒容器から成っており、これは酸素分子の流れは通過させるが大きい窒素分子は通過を阻止或いはこれを吸着する。作動状態では、コンプレッサーがフィルターにかけられた圧縮空気をフローコントロールバルブを通して分子篩ベッドの一つの入り口に供給し、約９５％純度の酸素が加圧されて該ベッドの出口から流れ出る。酸素はアキュムレーターに流れ込み、そこから圧力調整器、オプショナルフローメーター、最終フィルターを経て患者に至る。酸素は篩ベッドを通過して流れるので、分離された窒素は篩ベッドに捕捉されることになる。予め設定された短い作動時間の後、1つかそれ以上のバルブが第２の篩ベッドの入り口に圧縮空気を供給するように切り替えられ第１の篩ベッドの入り口を換気する。第２の篩ベッドから出る加圧された酸素の内いくらかが第１の篩ベッドの出口に供給される。この酸素は第１の篩ベッドを逆向きに流れ窒素その他の捕捉されていたガスを第１の篩ベッドから一掃する。バルブは周期的に逆になり、篩ベッドのガス分離サイクルと捕捉ガス一掃サイクルの切り替えを行う。アキュムレーターが相当量の濃縮酸素を加圧保持しておいてバルブがサイクルを刻んでいる間も患者に継続的に酸素を供給するのが望ましい。」（段落【０００２】）
　
（ハ）「【実施例】図１には典型的な圧力揺動分子篩酸素濃縮器１０が示されている。酸素濃縮器１０は医療用に濃縮酸素作り出すために使用される形式のものであるが、濃縮された酸素は他の用途にも使うことができる。酸素濃縮器１０は２つの分子篩ベッド１１及び１２を持っており、これらは各々篩ベッド１１及び１２の入り口１３及び１４と出口１５および１６の間を酸素が流される間に窒素を吸着する物質で部分的に満たされている。窒素吸着材としては種々のものが知られている。しばしば吸着材としてゼオライトが使われる。コンプレッサー１７はモーター１８で駆動され、室内の空気を取り入れ口１９から第１フィルター２０、第２フィルター２１、消音器２２を通して吸い込む。空気はコンプレッサー１７から高性能フィルター２３を通して２位置４方向バルブ２４へと放出される。バルブ２４は「オン」、即ち作動位置で描かれている。「オフ」になると矢印２４′で描かれているように左側に動く。図示の位置ではバルブ２４はフィルターを通った圧縮空気を篩ベッド１１の入り口１３に供給する。濃縮された酸素は出口１５から流れ出て窒素は篩ベッド１１に捕捉される。濃縮酸素はチェックバルブ２５と圧力センサー２６を経てアキュムレーター２７へと流れる。圧力センサー２６はアキュムレーター２７における濃縮酸素圧力及び分子篩ベッド１１又は１２のどちらかの作動前後の圧力低下の両方を計測するようにしてもよい。酸素はアキュムレーター２７から、酸素濃度、酸素流量、酸素温度を計測するセンサー２８、最終フィルター２９、チェックバルブ３０を経て酸素出口３１へと流れる。出口３１は例えば適切なホースとマスク又はカニューレ（図示していない）を通して濃縮酸素を供給するため患者の呼吸器官へと接続される。
マイクロプロセッサー即ちコンピューター３２は酸素濃縮器１０の作動を制御する。マイクロプロセッサー３２は圧力センサー２６とセンサー２８からの情報に応えてモーター１８とバルブ２４を制御するために、それぞれに接続されている。・・・」（段落【０００８】〜【０００９】）
　
（ニ）「図２は、図１の濃縮器１０のような酸素濃縮器のための本発明の好適な実施例によるモニタリングシステム４０を図解したブロックダイアグラムである。圧力センサー２６とセンサー２８は濃縮器制御マイクロプロセッサー３２へ作動データを供給するため図示のように接続されている。このデータに応じてマイクロプロセッサー３２はモーター１８とサイクリングバルブ２４（図１）を操作し、又バルブサイクルタイムを計測する。センサー２８は１つのユニットとして描かれているが、酸素濃度センサー４１、酸素流量センサー４２、酸素温度センサー４３を含んでおり、マイクロプロセッサー３２に加えコントローラーアンドメモリー４４に接続されている。米国特許５，２４７，８２６で説明、図解しその明細をここに組み込んでいるセンサーのように、センサー２８は１つの装置にまとまっているのが望ましい。センサー２８はトランスデューサーとそのトランスデューサーによって作り出される情報からガス濃度、ガス流量、ガス温度を計算するマイクロプロセッサーとを含んでいてもよい。マイクロプロセッサーはコントローラーアンドメモリー４４に含まれていてもよい。上に述べたように濃縮器１０の作動はマイクロプロセッサー３２によって制御されている。マイクロプロセッサー３２はコンプレッサーモーター１８とバルブ２４を制御し、メッセージとアラームを作り出す。これはサイクルタイム同様アキュムレータータンク２７内の圧力を常時モニターしている。コントローラーアンドメモリー４４の不揮発性メモリーに記憶されているパラメータに基づいて、システムの機能不全が１）圧力が低すぎるか又は高すぎる、又は２）各篩ベッド１１及び１２に対するガス分離サイクルタイムが長すぎるか又は短すぎる、又は３）酸素濃度が記憶されているセットポイント以下に落ち込んだ、又は４）マイクロプロセッサーのタイミングエラー、又は５）不揮発性メモリーの機能不全、によって確認された場合には、マイクロプロセッサー３２はアラームを発する。マイクロプロセッサー３２はバルブの状態を表す信号をコントローラーアンドメモリー４４に供給し、そして酸素濃縮器１０の状態を表すディジタルコードを供給する。
コントローラーアンドメモリー４４は酸素濃縮器１０の監督官である。これは常時マイクロプロセッサー３２からのアラームメッセージのための通信をモニターしバルブの切り替え時間をチェックしている。１秒間に２回の割合で、コントローラーアンドメモリー４４は、濃縮酸素の温度及び流量と同様に、濃縮器から出てくる酸素濃度を計測している。この情報は１秒間に２回、通信ポート４５に標準シリアルデータフォーマットで送られる。データの流れの終わりで、コントローラーアンドメモリー４４は外部装置からのコマンドのため通信ポート４５をモニターしている。コントローラーアンドメモリー４４に記憶されている酸素濃縮器作動データは酸素濃縮器１０のセリアル番号、作動時間、患者の素性と詳細説明、及び過去に行われたサービスの記録と次のサービスが必要になる時の計画等のサービス情報等を含んでいてもよい。・・・」（段落【００１０】〜【００１１】）
　
（ホ）「・・・酸素濃縮器１０との通信には３つの異なる通信法及び装置の内１つ或いはそれ以上が使用できる。酸素濃縮器１０を販売、賃貸、サービスするディーラーは、患者に引き渡す前に酸素濃縮器１０を初期セットアップするとき及び濃縮器１０がサービスのため手元にあるときに、通信ポート４５に直接接続できるポート４７を持ったマイクロコンピューター４６を持っていてもよい。・・・（中略）・・・
ディーラーのマイクロコンピューター４６と酸素濃縮器１０との間のデータ通信に替る方法として、酸素濃縮器１０が通信ポート４５を電話線に接続する通信機４８を含んでいてもよい。通信機４８はマイクロプロセッサー、不揮発性メモリー、記憶するデータに日時を書き込むためのリアルタイム時計、モデム、バッテリーを含んでいる。ディーラーのマイクロコンピューター４６にも、酸素濃縮器１０とマイクロコンピューター４６の間の通信が出来るように電話線に接続されるモデム（図示していない）が付いている。通信機４８を酸素濃縮器に付ける場合には、メンテナンスと使用方法のデータをダウンロードするために予めプログラムされた時刻、或いは酸素濃縮器とアラームの種類を確認しながらデータを送るために１つ又はそれ以上のアラームが出されたときには随時、の何れかにディーラーのコンピューター４６に自動的に接続するようプログラムしておいてもよい。・・・（中略）・・・
替りに、サービスコール時にサービス技術者が、携帯型の手に持てるデータディスプレー・メモリーユニット４９を通信ポート４５に接続してもよい。・・・」（段落【００１１】〜【００１３】）
　
（ヘ）「次ぎに図３に関してであるが、フローチャート５２は図１の酸素濃縮器１０の中のマイクロプロセッサー３２の、分子篩ベッド選択バルブ２４の切り替え及び分子篩ベッドの作動に関するメッセージを作り出す動作を図解したものである。・・・（中略）・・・フローチャート５２に図解するプログラムによって作り出された種々のメッセージは図２のコントローラーアンドメモリー４４に記憶される。通信機４８があれば、通信機４８をディーラーのマイクロコンピューター４６に電話番号を廻して、患者及び、サービスとマイクロプロセッサー３２によって制定されたメッセージとを必要とする酸素濃縮器、の両方の素性を確認するデータを伝達するようにプログラムすることができる。・・・」（段落【００１４】〜【００１７】）
　
（ト）「図４及び５はデータを記憶、伝送するプロセスを図解するプログラムフローチャート８０である。電源が入るとこのサイクルは端部８１から始まる。ブロック８２ではコントローラーアンドメモリー４４内のマイクロプロセッサーが初期化され自己テストが走る。次のプロセスは１／２秒ループタイマー８３で、これはフローチャート８０を通して１／２秒毎に自動的に再生するタイマーを含んでいる。ループタイマー８３から、酸素濃度百分率、濃縮酸素流量、濃縮酸素温度がブロック８４で計測される。次に、新しいメッセージがあればブロック８５で濃縮器の作動状態が読み込まれる。判定ブロック８６は直前のプログラムループサイクルからバルブの状態が変更されているかを問う。変更されていなければ、プログラムは端末８７を経て図５の「Ａ」にジャンプする。バルブの状態が変更されている場合は、判定ブロック８８はバルブ２４は「オン」であったかと問う。バルブが「オン」であった場合、「オン」の時間は「サイクル・タイム・オン」としてブロック８９でセーブされ、ブロック９０でタイマーはリセットされ、プログラムは端末８７を経て図５の「Ａ」にジャンプする。ブロック８８がバルブが「オフ」であると裁定すれば、ブロック９１は「オフ」タイムを「サイクル・タイム・オフ」としてセーブし、ブロック９０でバルブタイマーはリセットされプログラムは端末８７を経て図５の「Ａ」にジャンプする。
図５の端末８７から、酸素濃度に対するアラームセットポイントがブロック９２で読み込まれる。次に、判定ブロック９３が濃度はセットポイント以下であるかを問う。そうである場合は、ブロック９４で低濃度アラームが発せられ、ブロック９５でデータがセリアルポート（図２の４５）に送られる。ブロック９３で酸素濃度がセットポイントより低くない場合は、ブロック９６で低酸素濃度アラームは止められ、ブロック９５でデータがセリアルポートに送られる。・・・（中略）・・・ブロック１０２でデータを読み込むべきと裁定された場合、データはブロック１０３で読み込まれ、ブロック１０４でセリアルポートへ送られる。それからプログラムはループ端末９８を経てサイクルタイマー８３へ戻る。携帯型データディスプレー・メモリーユニット４９等、通信機ポート４５に接続された装置から要求されれば何時でもデータは読み込まれる。
図６は、携帯型データディスプレー・メモリーユニット４９を示す平面図である。・・・（中略）・・・
イニシャルを入れ終えるとディスプレー１１１には「タスク終了」と表示される。「セーブ」キー１１５を押すと、オペレーターは酸素濃縮器の蓄積時間を時間メターに表示してあるように入力するように要求される。次に「エンター」キー１１６を押せば、入力した作動時間、日付、時刻を含む酸素濃縮器の作動に関する全てのデータがコントローラーアンドメモリー４４の不揮発性メモリーに記憶される。・・・」（段落【００１８】〜【００２１】）
　
（チ）「・・・酸素濃縮器についての記録の具体例を表Ｉに示す。・・・（中略）・・・
【表Ｉ】濃縮器データ
セリアル番号      Ｍ１２３４５ＤＳ
作動時間      １５３４
濃度  ９４．３５（％）
流量  ４．１（リッター／秒）
温度  ７８．３（°Ｆ）
サイクルタイム１    １０．９（秒）
サイクルタイム２    １０．８（秒）
エラーメッセージ    ユニット作動中ＯＫ
可聴アラーム  ＯＫ
視認アラーム  ＯＫ
チェックＬＰＭ      ３．９
Ｏ２分析      ９４．２（％）
チェックＬＰＭ      ５．０
Ｏ２最低      ９３．８（％）
出口フィルター      交換
長寿命入り口フィルター      有り
入り口フィルター    ＯＫ
バッテリーチェック  ＯＫ
・・・（中略）・・・
ＲｘＬＰＭレスティング      ４．０
Ｒｘ時間／日  １０
Ｒｘ加湿      無し
使用チェック  ３５８時間／３４日＝１０．５時間／日
・・・」（段落【００２１】〜【００２２】）
　
（リ）「【発明の効果】酸素濃縮器の作動を修正する能力があるということは、幾つかのかつてなかった利点を提供する。酸素濃縮器の作動限界をプログラムする能力のおかげで、製作者は異なった容量の酸素濃縮器に対して同じ回路構成を使用出来るようになった。今までは異なった容量の濃縮器を制御するには異なる回路構成を使う必要があった。又、異なる市場に対して酸素濃縮器の作動を容易に修正できる。例えば酸素濃縮器は異なる国で異なる電源での作動用に設計できる。電圧レベルと周波数を変更すれば、作動圧力に影響するコンプレッサーモーターの回転速度に影響を与えることができる。これで分子篩ベッドのサイクルタイムを変更できることになる。利用できる電源に基づいて分子篩ベッドのサイクルタイムに対するアラーム限界を再プログラムするのは簡単なことである。・・・」（段落【００２８】）
　
　上記（ロ）の記載事項「・・・酸素濃縮器は主として酸素から成るガス流を作るため、空気から窒素を分離する。圧力揺動酸素濃縮器は通例少なくとも２個の分子篩ベッドを持っている。各分子篩ベッドはゼオライトのような篩材で部分的に満たされた閉ざされた円筒容器から成っており、これは酸素分子の流れは通過させるが大きい窒素分子は通過を阻止或いはこれを吸着する。作動状態では、コンプレッサーがフィルターにかけられた圧縮空気をフローコントロールバルブを通して分子篩ベッドの一つの入り口に供給し、約９５％純度の酸素が加圧されて該ベッドの出口から流れ出る。酸素はアキュムレーターに流れ込み、そこから圧力調整器、オプショナルフローメーター、最終フィルターを経て患者に至る。・・・アキュムレーターが相当量の濃縮酸素を加圧保持しておいてバルブがサイクルを刻んでいる間も患者に継続的に酸素を供給するのが望ましい。」、（ハ）「・・・酸素はアキュムレーター２７から、酸素濃度、酸素流量、酸素温度を計測するセンサー２８、最終フィルター２９、チェックバルブ３０を経て酸素出口３１へと流れる。出口３１は例えば適切なホースとマスク又はカニューレ（図示していない）を通して濃縮酸素を供給するため患者の呼吸器官へと接続される。・・・」、及び図１の図示内容を併せみれば、引用例１に記載された酸素濃縮器は、酸素分子の流れは通過させるが大きい窒素分子は通過を阻止或いはこれを吸着する篩材で部分的に満たされた分子篩ベッド、分子篩ベッドに圧縮空気を供給し空気から窒素を分離するコンプレッサー、濃縮酸素を加圧保持するアキュムレーター、アキュムレーターから濃縮酸素を患者の呼吸器官へ供給するホースとカニューレを備えるといえる。
　
　また、上記（イ）の記載事項「酸素濃縮器の作動を表示するデータを作り出し、記憶するための該酸素濃縮器内の手段・・・」、上記（ニ）「・・・コントローラーアンドメモリー４４に記憶されている酸素濃縮器作動データは酸素濃縮器１０のセリアル番号、作動時間、患者の素性と詳細説明、及び過去に行われたサービスの記録と次のサービスが必要になる時の計画等のサービス情報等を含んでいてもよい。・・・」、（ヘ）「・・・フローチャート５２に図解するプログラムによって作り出された種々のメッセージは図２のコントローラーアンドメモリー４４に記憶される。・・・」、上記（ト）の記載事項「・・・全てのデータがコントローラーアンドメモリー４４の不揮発性メモリーに記憶される。」、（チ）「・・・【表Ｉ】濃縮器データ・・・バッテリーチェック  ＯＫ・・・」、上記（リ）「・・・例えば酸素濃縮器は異なる国で異なる電源での作動用に設計できる。電圧レベルと周波数を変更すれば、作動圧力に影響するコンプレッサーモーターの回転速度に影響を与えることができる。・・・」、及び図１〜３の図示内容を併せみれば、引用例１に記載された酸素濃縮器は、当該酸素濃縮器の作動用の電源、当該酸素濃縮器の作動を表示するデータを不揮発性メモリーに記憶するコントローラーアンドメモリーを備えるといえる。
　
　さらに、上記（ニ）の記載事項「・・・１秒間に２回の割合で、コントローラーアンドメモリー４４は、濃縮酸素の温度及び流量と同様に、濃縮器から出てくる酸素濃度を計測している。この情報は１秒間に２回、通信ポート４５に標準シリアルデータフォーマットで送られる。・・・」、上記（ホ）の記載事項「・・・酸素濃縮器１０が通信ポート４５を電話線に接続する通信機４８を含んでいてもよい。通信機４８はマイクロプロセッサー、不揮発性メモリー、記憶するデータに日時を書き込むためのリアルタイム時計、モデム、バッテリーを含んでいる。・・・通信機４８を酸素濃縮器に付ける場合には、メンテナンスと使用方法のデータをダウンロードするために予めプログラムされた時刻、或いは酸素濃縮器とアラームの種類を確認しながらデータを送るために１つ又はそれ以上のアラームが出されたときには随時、の何れかにディーラーのコンピューター４６に自動的に接続するようプログラムしておいてもよい。・・・」、上記（ヘ）の記載事項「・・・通信機４８があれば、通信機４８をディーラーのマイクロコンピューター４６に電話番号を廻して、患者及び、サービスとマイクロプロセッサー３２によって制定されたメッセージとを必要とする酸素濃縮器、の両方の素性を確認するデータを伝達するようにプログラムすることができる。・・・」、（ト）「・・・携帯型データディスプレー・メモリーユニット４９等、通信機ポート４５に接続された装置から要求されれば何時でもデータは読み込まれる。・・・全てのデータがコントローラーアンドメモリー４４の不揮発性メモリーに記憶される。」、及び図１〜５の図示内容を併せみれば、引用例１に記載された酸素濃縮器の通信ポートには、コントローラーアンドメモリーの不揮発性メモリーに記憶されたデータを読み込んでディーラーのコンピューターへ送るバッテリーを含む通信機が接続されるといえる。
　
　上記事項を総合し整理すると、引用例１には、次の発明（以下、「引用発明」という。）が記載されている。
「酸素分子の流れは通過させるが大きい窒素分子は通過を阻止或いはこれを吸着する篩材で部分的に満たされた分子篩ベッド、分子篩ベッドに圧縮空気を供給し空気から窒素を分離するコンプレッサー、濃縮酸素を加圧保持するアキュムレーター、アキュムレーターから濃縮酸素を患者の呼吸器官へ供給するホースとカニューレ、当該酸素濃縮器の作動用の電源、当該酸素濃縮器の作動を表示するデータを不揮発性メモリーに記憶するコントローラーアンドメモリー、をそれぞれ備えた酸素濃縮器と、当該酸素濃縮器の通信ポートに接続され、コントローラーアンドメモリーの不揮発性メモリーに記憶されたデータを読み込んでディーラーのコンピューターへ送るバッテリーを含む通信機とを備えた酸素濃縮器及び当該酸素濃縮器のためのモニタリングシステム。」
　
４．対比・判断
　本願発明と引用発明とを対比すると、各文言の意味、機能または作用等からみて、引用発明の「酸素濃縮器」は本願発明の「酸素濃縮装置」に、以下同様に、「酸素分子の流れは通過させるが大きい窒素分子は通過を阻止或いはこれを吸着する篩材で部分的に満たされた」は「酸素より窒素を選択的に吸着し得る吸着剤を充填した」に、「分子篩ベッド」は「吸着筒」に、「分子篩ベッドに圧縮空気を供給し空気から窒素を分離するコンプレッサー」は「当該吸着筒へ加圧空気を供給して空気中の窒素を吸着させる空気圧縮手段」に、「濃縮酸素」は「酸素富化気体」に、「濃縮酸素を加圧保持する」は「吸着されなかった酸素が取り出されて酸素富化気体として貯留される」に、「アキュムレーター」は「製品タンク」に、「アキュムレーターから濃縮酸素を患者の呼吸器官へ供給するホースとカニューレ」は「当該製品タンクに貯留された酸素富化気体を患者の鼻腔付近まで輸送するチューブ手段」に、「当該酸素濃縮器の作動用の電源」は「当該酸素濃縮装置中の各構成要素へ電力を供給する電力供給手段」に、「データ」は「情報」に、「不揮発性メモリー」は「メモリー手段」に、「記憶する」及び「記憶された」は「記録する」及び「記録された」に、「コントローラーアンドメモリー」は「制御手段」に、「コントローラーアンドメモリーの不揮発性メモリーに記憶されたデータ」は「前記メモリー手段に記録された前記情報」に、「読み込んで」は「読み出して」に、「ディーラーのコンピューターへ送る」は「所定の受信手段へ送信する機能を有する」に、「バッテリーを含む通信機」は「送信端末」に、「酸素濃縮器及び当該酸素濃縮器のためのモニタリングシステム」は「在宅酸素療法支援システム」に、それぞれ相当する。
　また、引用発明の「当該酸素濃縮器の作動を表示するデータ」と本願発明の「当該酸素濃縮装置の運転状態を示し、且つ、当該酸素濃縮装置が故障により運転停止した際のこの故障を特定するための記述を有する情報」とは、「当該酸素濃縮装置の運転状態を示す情報」という点において共通する。
　
　そこで、本願発明の用語及び表現ぶりを用いて記載すると、両発明は下記の一致点及び相違点を有する（対応する引用発明の用語を（）内に記載する。）。
（一致点）
「酸素より窒素を選択的に吸着し得る吸着剤を充填した吸着筒、当該吸着筒へ加圧空気を供給して空気中の窒素を吸着させる空気圧縮手段、吸着されなかった酸素が取り出されて酸素富化気体として貯留される製品タンク、当該製品タンクに貯留された酸素富化気体を患者の鼻腔付近まで輸送するチューブ手段、当該酸素濃縮装置中の各構成要素へ電力を供給する電力供給手段、当該酸素濃縮装置の運転状態を示す情報をメモリー手段に記録する制御手段、をそれぞれ備えた酸素濃縮装置と、前記メモリー手段に記録された前記情報を読み出して所定の受信手段へ送信する機能を有する送信端末とを備えた在宅酸素療法支援システム。」
（相違点）
　本願発明においては、酸素濃縮装置の運転状態を示す情報が、「酸素濃縮装置が故障により運転停止した際のこの故障を特定するための記述を有する情報」であり、「所定の時間間隔でメモリー手段に記録する」のに対して、引用発明においては、そのような構成を備えていない点。
　
　上記相違点について判断する。
　引用例１には、引用発明の酸素濃縮装置（酸素濃縮器）の運転状態を示す情報（データ）の具体例として「・・・温度  ７８．３（°Ｆ）・・・バッテリーチェック  ＯＫ・・・」（上記（チ）の記載事項）が挙げられており、これら「温度」や「バッテリーチェック」は、取得するデータの詳細（前者はどの部位の温度であり、後者は電圧値まで取得するのか）や取得タイミングが不明ではあるものの、少なくとも「酸素濃縮装置（酸素濃縮器）が故障により運転停止した際のこの故障」に関連した情報（データ）であると認められる。
　一方、医療機器の技術分野において、爾後的なデータ解析のために、医療機器の運転状態を示す各種情報を所定の時間間隔でメモリーに記録することは、本願出願前に周知の技術事項である（例えば、特開平９−２２５０２２号公報、特開２００２−２９７８０７号公報を参照）。
　したがって、引用発明に周知技術を適用して、爾後的なデータ解析が可能なように、「酸素濃縮装置（酸素濃縮器）が故障により運転停止した際のこの故障」に関連した情報（データ）を、「酸素濃縮装置（酸素濃縮器）が故障により運転停止した際のこの故障を特定するための記述を有する情報（データ）」とし、「所定の時間間隔でメモリー手段（不揮発性メモリー）に記録する」ことは、当業者が容易に想到し得ることであると認められる。
　
　なお、請求人は、本願発明は「所定間隔で運転情報が記録され、しかもその情報には運転停止が起きた場合の原因を示す情報をメモリー手段に記録しており、かかる情報を送信端末から送信されることで迅速な運転停止情報の把握、故障原因の把握を行うことが出来るという引例にはない効果を奏することができる。」と主張しているが、前説示のとおり、酸素濃縮装置が故障により運転停止した際のこの故障を特定するための記述を有する情報を、所定の時間間隔でメモリー手段に記録することは、引用発明及び周知技術から容易に想到できることであり、請求人の主張する上記効果は引用発明及び周知技術から当業者が予測し得る範囲のものであって、格別のものとはいえないから、上記請求人の主張は採用できない。
　
５．むすび
　以上のとおり、本願発明は、引用発明及び周知技術に基いて、当業者が容易に発明をすることができたものであるから、特許法第２９条第２項の規定により特許を受けることができない。
　よって、結論のとおり審決する。